(57)【要約】【課題】    本発明は、簡単容易にゴルフボールの傷を修繕・修正することができ、かつ、持ち歩きにも便利なグリーンフォークを提供せんとするものである。【解決手段】    本発明のグリーンフォークは、ツメ部と把手部とからなるグリーンフォークにおいて、該把手部に、ゴルフボール研磨用ヤスリを備えたことを特徴とするものである。【選択図】  図１
2007014728.tif 000002
【特許請求の範囲】
【請求項１】
ツメ部と把手部とからなるグリーンフォークにおいて、該把手部に、ゴルフボール研磨用ヤスリを備えたことを特徴とするグリーンフォーク。
【請求項２】
該ゴルフボール研磨用ヤスリが、鋼材で構成されていることを特徴とする請求項１に記載のグリーンフォーク。
【請求項３】
該グリーンフォークが、折り畳み式構造であることを特徴とする請求項１または２に記載のグリーンフォーク。
【請求項４】
該折り畳み式構造が、該ツメ部以外の把手部で折り畳まれる構造であることを特徴とする請求項３に記載のグリーンフォーク。
【請求項５】
該ゴルフボール研磨用ヤスリが、該折り畳み式構造の内側面に備えられていることを特徴とする請求項３または４に記載のグリーンフォーク。
【請求項６】
該ゴルフボール研磨用ヤスリが、該把手部に直接刻設されたものであるか、または、該把手部に別途取り付けられたものであることを特徴とする請求項１〜４のいずれかに記載のグリーンフォーク。
【発明の詳細な説明】
【技術分野】    本発明は、ゴルフグランドで使用するグリーンフォークに関する。
【背景技術】    近年、ゴルフは、宮里藍選手や横峰さくら選手の活躍により、空前のゴルフブームが到来している。
かかるゴルフグランドにおいては、ゴルフボールをゴルフクラブで叩いて飛来させてグリーンに乗せる際に、該ゴルフボールの落下でグリーン面に凹みをつけたりして、後のプレーに差し支えることが生じることがある。かかる不都合からゴルフ場経営者としては、かかる場合には、グリーンフォークを突き刺して整備することをエチケットとして義務付けているものである。もちろん、これは悪までエチケットであって、そのようなルールはなく、自然のままでプレーするのがゴルフの建前である。
練習グランドでは、どこのゴルフ場でもグリーンフォークを置いて利用者に、グリーン面に凸凹を形成した場合には、その都度フォークで整備することをお願いしているのが通常である。
また、ゴルフボールも、ゴルフクラブで叩く度に傷つくものであり、その傷の程度によっては、該ボールが受ける空気抵抗が大きく変化することがあり、最終的には、まともに飛来しなくなったりもするものである。したがって、公式試合などでは、このような場合は、申告により新球に取り替えて試合を続行することができるが、練習や非公式試合などの私的プレーでは、わざわざ新球を使用する必要はなく、即座にそのボールの傷を直すなり、修正して使用すればよい。
しかし、現在のところ、このような場合に、即座にそのボールの傷を直して修繕する道具は存在しない。もちろん、このような加工は、公式には違反行為であり、ペナルティーを課せられるので注意を要する。
いずれにしても、グリーンフォークそのものは、練習や非公式試合などの私的プレーで使用されるものであり、公式試合では携帯または所持しない道具であるが、その改善提案としては数が少なく、把手部を肉厚にして（特許文献１）持ちやすく、整備作業がし易い程度の提案しかないのが実状である。もちろん、このようなゴルフボールの加工用具などの提案も存在しておらず、ゴルフ場利用者から、持ち歩きに便利で、研磨機能に優れた、ボールの傷修正用具が要求されているのが実状である。
【特許文献１】特開平０７−２１３６６１号公報
【発明の開示】
【発明が解決しようとする課題】    本発明は、かかる従来技術の背景に鑑み、簡単容易にゴルフボールの傷を修繕・修正することができ、かつ、持ち歩きにも便利なグリーンフォークを提供せんとするものである。
【課題を解決するための手段】    本発明は、かかる課題を達成するために、次のような手段を採用するものである。
すなわち、本発明のグリーンフォークは、ツメ部と把手部とからなるグリーンフォークにおいて、該把手部に、ゴルフボール研磨用ヤスリを備えたことを特徴とするものである。
【発明の効果】    本発明によれば、プレー中のスウィングにより、ゴルフボールに傷が付いた場合に、極めて簡単容易に修繕・修正することができ、プレーを続行することができる上に、持ち歩きにも便利なグリーンフォークを提供することができるものである。
【発明を実施するための最良の形態】  本発明は、前記課題、つまり簡単容易にゴルフボールの傷を修繕・修正することができ、かつ、持ち歩きにも便利なグリーンフォークについて、鋭意検討し、グリーンフォークの把手部に、ゴルフボール研磨用ヤスリを取り付けてみたところ、前記課題を一挙に解決することを究明したものである。
すなわち、本発明のグリーンフォークは、練習や非公式試合などの私的プレーで携帯または所持されて使用されているものであるが、かかるグリーンフォークに、ゴルフボールの研磨機能を付加すれば、該ボールに異変が生じたときに、随時簡単容易に修繕・修正することができるのではないかと考えて、取り敢えず、市販の平板ヤスリを、グリーンフォークの把手部の太さに合わせて切断した小片に形成して、これをネジ込み式で該把手部に取り付けたところ、グリーンフォークとしての作業に全く支障なく使用することができ、しかも、ボールの研磨作業も極めて簡単容易にできる上に、ヤスリであるから、正確、且つ、確実に研磨することができることを究明したものである。
本発明のグリーンフォークは、前記したように、グリーングランドの整備用に、各ゴルフ場に常備されているグリーングランド整備用道具であり、つまり、グリーン面の凹み部を修正するために、凹部に突き刺して掘り起こして平坦化するための道具である。このグリーンフォークは、練習などでは、常時携帯しているものであり、このフォークに研磨機能を付加すれば、ゴルフボール研磨器具を別途携帯する必要はなくなり、極めて便利で邪魔にもならず携帯することができるものである。
本発明は、ゴルフボールの研磨器具を備えたグリーンフォークであるが、ゴルフボールは、シース・コア構造で構成された表面がゴム製の固いボールである。しかし、ゴルフ競技は、このボールを、ゴルフクラブで叩いて飛来させてピンホールへ入れるまでの打数を競い合うスポーツであるので、鋼材製のクラブヘッドで、該ボールを幾度も叩いている内に、該ボール表面のゴムに傷を付けてしまうものである。しかし、その傷の程度によっては、該ボールが受ける空気抵抗が大きく変化し、さらには、まともに飛来しなくなったりもする。このような傷は、該ボールの叩き具合によっては１回のスウィングで形成されることもある。
すなわち、ゴルフボールは、飛距離を出すために、表面のゴム層にディンプルと称する多数の小円形状くぼみが形成されているのであるが、このくぼみを削りとったり、変形したりすると、飛距離を出すことは、もちろん、真っ直ぐに飛翔しなくなったりもするものである。
かかるゴルフボールの表面部を構成するゴムとしては、スチレンブタジエンラバー、エチレンプロピレンジエン共重合体ラバー、ニトリルラバー、クロロプレンラバー、イソブチレンイソプレンラバー、シリコンラバー等を用いることができるが、飛距離や強度の点からブチル系やシリコン系のゴムが好ましく使用される。しかし、かかるゴム材質をいくら選択しても、ゴルフクラブによる打撃に抗することはできず、傷は形成されるものである。
本発明は、かかるゴルフ場での練習や私的プレーにおいて、ゴルフボールのかかる不都合を即座に修正することができる画期的道具を提案するものである。
以下、本発明を図面により説明する。
図１は、本発明のグリーンフォークの一例を示す概略図である。つまり、ツメ部１と把手部２とからなるグリーンフォークである。本発明のグリーンフォークは、かかるグリーンフォークの該把手部２に、ゴルフボール研磨用ヤスリ３を備えた構造を有するものである。かかるグリーンフォークの把手部２に、さらにペンホルダーなどの携帯用保持部材を付加したり、ティーグランドで使用するピンを保持するピンホルダー用の穴を付加することは好ましい。
図１のゴルフボール研磨用ヤスリ３は、該把手部に直接刻設されたものであってもよいし、または、該把手部に別途取り付けられたものであってもよい。
かかるグリーンフォークは、材質には特に限定されず、たとえば木製でも、プラスチック製でもよいが、使いやすさや強度的な要求から鉄板などの鋼材で構成するのが好ましい。かかる鋼材としては、表面は一般構造用圧延鋼（たとえばＳＳ４００）板でもよいが、さらに剛性および強度に優れた機械構造用炭素鋼である、たとえばＳ４５ＣおよびＳＣＭ３種から選ばれた少なくとも１種の鋼材などが好ましく使用される。
また、ヤスリを構成する材質も特に限定されないが、ボールを構成するゴムよりも硬い材質のものであれば何でもよいが、機能性の上から、該グリーンホークと同様な剛材や通常のヤスリを構成する材料が好ましく使用される。このような剛材を使用した場合には、ゴルフボール研磨用ヤスリを、該把手部に直接刻設することができるのでよい。
本発明のグリーンフォークは、該ツメ部と把手部の境界付近で、好ましくは該ツメ部以外の把手部で折り畳まれる構造とするなど、要するに折り畳み可能な構造となっているのが、小型化とする上から好ましい。
また、前記ゴルフボール研磨用ヤスリは、該グリーンフォークのどこに配置してもよいが、該折り畳み式構造の場合には、その畳み込まれる内側である内側面に備えられているのが、ヤスリ面の保護とヤスリによる引っ掻け防止の上から好ましい。
【実施例】  以下、実施例により本発明を更に詳細に説明する。
実施例１
図１のグリーンホークを作製した。
まず、市販の平板ヤスリを、グリーンフォークの把手部の太さに合わせて切断して、小片の矩形状に形成した。この矩形状小片ヤスリの中央部に、ネジに合わせた小穴を設けて、ゴルフボール研磨用ヤスリ３を形成した。
次に、市販のグリーンホークの把手部２に、前記矩形状小片ヤスリが嵌合するように、把手部２を削った後、該矩形状小片ヤスリの小穴の位置に合わせてネジ切りをした。
最後に、このグリーンホークの把手部２に、前記矩形状小片ヤスリをネジ込み式で取り付けて、本発明のグリーンフォークを完成させた。
このグリーンフォークは、グリーンフォークとしての作業に全く支障なく使用することができことはもちろん、ゴルフボールの傷も正確に確実に研磨することができ、しかも、ヤスリであるから研磨作業も極めて簡単容易であった。
【図面の簡単な説明】
【図１】本発明のグリーンフォークの一例を示す概略図である。
【符号の説明】
１：ツメ部
２：把手部
３：ゴルフボール研磨用ヤスリ
【図１】
2007014728.tif 000003